(57)【特許請求の範囲】
【請求項１】
パチンコやスロットマシン等の遊技機が列設された遊技場を装飾する遊技場の装飾装置において、
前記遊技機の上部に配置された半透明のケース体と、前記ケース体の内部に配置された発光手段と、前記ケース体の正面側に配置されたプロジェクタとを備え、
前記発光手段を点灯することにより前記ケース体を発光させる第１の装飾形態と、前記プロジェクタにより前記ケース体の正面に映像を投影する第２の装飾形態とを有するものであり、
前記ケース体は、複数の前記遊技機に対してそれぞれ配置し、
更に、隣り合う前記ケース体の側面同士は、隙間を空けて互いに向かい合うものとし、
前記プロジェクタの映像は、隣り合う前記ケース体の正面に跨るようにしたことを特徴とする遊技場の装飾装置。
【発明の詳細な説明】
【技術分野】
【０００１】
本発明は、パチンコやスロットマシン等の遊技機が列設された遊技場を装飾する装置に関する。
【背景技術】
【０００２】
この種の遊技場においては、ポスターや立て札、或は電飾等の装飾を施すことにより、遊技者の興味を引くべく様々な工夫が施されている。特許文献１乃至３等には、プロジェクタを用いて画像を展示する装置も開示されている。
【０００３】
また、各遊技機の上部には、遊技の履歴や状態を表示する表示装置が設けられている。呼出しランプ、データカウンタ、或はファサードランプ等と呼ばれているものである。このような表示装置は、ＬＥＤ等の発光手段を備え、発光手段の発光色、配置構成、発光方法等を工夫することにより、その表示情報を多様化するとともに、装飾的効果を高める構成となっている。特許文献４乃至１２等には、この種の表示装置が開示されている。
【先行技術文献】
【特許文献】
【０００４】
【特許文献１】特開平０６−４３８２１号公報
【特許文献２】特開２００２−３６０９０８号公報
【特許文献３】特開２００７−２６７９２１号公報
【特許文献４】特許第３８８９９３５号公報
【特許文献５】特開平０６−２９６７２６号公報
【特許文献６】特開平０９−２９４８６６号公報
【特許文献７】特開平１０−９４６６８号公報
【特許文献８】特開平１０−２４９０４３号公報
【特許文献９】特開２０００−３４２８３４号公報
【特許文献１０】特開２００１−３４０５４２号公報
【特許文献１１】特開２００２−２００３２０号公報
【特許文献１２】特開２００７−６１５６７号公報
【発明の概要】
【発明が解決しようとする課題】
【０００５】
さて、遊技場の装飾については、その装飾形態の変化が重要であると考えられる。つまり、装飾そのものが派手であっても、それが変化に乏しい単調なものであると、遊技者に与える印象が次第に薄まり、満足な効果が得られないと考えられる。
【０００６】
また、遊技機を列設して構築した一帯を島と呼ぶ。装飾に利用可能な島のスペースは限られており、遊技場の営業現場においては、例えば遊技機を新しく入換える場合に、その島に対して如何に効果的な装飾を施すかが、非常に重要な課題とされている。
【０００７】
本発明は、かかる事情に鑑みてなされたものであり、その目的は、遊技場のスペースを有効に利用しつつより趣向を凝らした装飾を実現する装置を提供することである。
【課題を解決するための手段】
【０００８】
本願第１請求項に記載した発明は、パチンコやスロットマシン等の遊技機が列設された遊技場を装飾する遊技場の装飾装置において、前記遊技機の上部に配置された半透明のケース体と、前記ケース体の内部に配置された発光手段と、前記ケース体の正面側に配置されたプロジェクタとを備え、前記発光手段を点灯することにより前記ケース体を発光させる第１の装飾形態と、前記プロジェクタにより前記ケース体の正面に映像を投影する第２の装飾形態とを有するものであり、前記ケース体は、複数の前記遊技機に対してそれぞれ配置し、更に、隣り合う前記ケース体の側面同士は、隙間を空けて互いに向かい合うものとし、前記プロジェクタの映像は、隣り合う前記ケース体の正面に跨るようにした構成の遊技場の装飾装置である。
【発明の効果】
【００１０】
本発明によれば、遊技場のスペースを有効に利用しつつより趣向を凝らした装飾を実現する装置を提供することができる。
【図面の簡単な説明】
【００１１】
【図１】本発明の実施例に係り、遊技機が列設された遊技場を示す正面図である。
【図２】本発明の実施例に係り、遊技場の装飾装置を示す上面図である。
【図３】本発明の実施例に係り、遊技場の装飾装置を示す側面図である。
【図４】本発明の実施例に係り、ケース体の内部を示す横断面図である。
【図５】本発明の実施例に係り、ケース体の内部を示す縦断面図である。
【発明を実施するための形態】
【００１２】
以下に、本発明の実施例を図１乃至図５に基づいて説明する。本例の装飾装置１００は、パチンコやスロットマシン等の遊技機２が列設された遊技場を装飾するものである。図１は、遊技場のホールに複数のパチンコを列設して構築した一つの島１を示している。各遊技機２の上部には、それぞれ表示装置３が設けられている。更に表示装置３の上部には、幕板４が設けられている。幕板４の内側には、遊技機２にパチンコ玉を供給する装置が設けられている。
【００１３】
本例の装飾装置１００は、遊技機２の上部に配置された半透明のケース体１１０と、ケース体１１０の内部に配置された複数の発光手段１２０と、ケース体１１０の正面側に配置されたプロジェクタ１３０とを備えたものである。発光手段１２０は、幕板４にねじ止めして固定した支持体１４０に設けられている。また、ケース体１１０は、支持体１４０にねじ止め又は嵌合することにより、支持体１４０に対して着脱可能に装着される構成となっている。表示装置３は、遊技機２とケース体１１０との間に位置する。
【００１４】
この装飾装置１００は、発光手段１２０を点灯することによりケース体１１０を発光させる第１の装飾形態と、プロジェクタ１３０によりケース体１１０の正面に映像を投影する第２の装飾形態とを有するものとなっている。発光手段１２０及びプロジェクタ１３０は、不図示の制御手段によって制御されており、第１の装飾形態と第２の装飾形態とは、予め設定された所定のプログラムに従って切換わる構成となっている。
【００１５】
ケース体１１０は、透明樹脂製の箱体の内面に乳白色の塗装を施してなるものである。濁った色の半透明体である。つまり本願では、光の透明性ではなく、光を透過する性質についてケース体１１０を半透明(translucent)と称している。発光手段１２０としては、ＬＥＤ又は蛍光管を採用している。プロジェクタ１３０としては、動画を投影する液晶プロジェクタ又はＣＲＴプロジェクタを採用している。発光手段１２０の光は、ケース体１１０を透過して外部にもたらされる。また、プロジェクタ１３０の映像は、ケース体１１０がスクリーンとして作用することにより、ケース体１１０に投影される。
【００１６】
本例の場合、ケース体１１０は、複数の遊技機２に対してそれぞれ配置されている。そして、隣り合うケース体１１０の側面同士は、隙間を空けて互いに向かい合うものとなっており、プロジェクタ１３０の映像は、隣り合うケース体１１０の正面に跨るように構成されている。隙間の間隔は、５〜３０ｍｍ程度である。図例した島１は、９台の遊技機２が列設されたものである。プロジェクタ１３０は、３台設けられており、各プロジェクタ１３０の映像は、隣り合う３つのケース体１１０の正面に跨るように投影される。各プロジェクタ１３０は、天井に支持されている。コストの面では、プロジェクタ１３０の台数は少ないほうがよい。但し、映像の鮮明さを確保する必要もある。コストパフォーマンスを考慮すると、２〜４つのケース体１１０に対して一台のプロジェクタ１３０を設けるとよい。尚、プロジェクタ１３０が投影する映像としては、遊技機２を紹介するデモンストレーション映像等を用いるとよい。また、その遊技場の営業案内を告示する映像を用意し、これを投影するようにしてもよい。
【００１７】
このような構成によると、複数のケース体１１０を一つのスクリーンとして利用することができる。そして、第１の装飾形態と第２の装飾形態とを交互に切換えることにより、より変化に富んだ装飾を実現することができる。第１の装飾形態と第２の装飾形態とは、いずれも電飾の一形態であるところ、それらの電飾方法が異なるため、装飾に変化をもたらすという点で非常に効果的である。遊技場のスペースも有効に利用することができる。
【００１８】
また、本例の場合、装飾装置１００の制御手段は、遊技機２から遊技情報を取得して、その情報を装飾形態の切換えに反映する構成となっている。例えば、通常時は第２の装飾形態とし、島１のいずれかの遊技機２に所謂当りが発生すると、そこから一定時間、プロジェクタ１３０による投影を停止し、第１の装飾形態に切換わる構成となっている。その第１の装飾形態も、特に限定はしないが、本例の場合、当りが発生した遊技機２上部のケース体１１０の内部に設けられた発光手段１２０が点灯するとともに、その他のケース体１１０の内部に設けられた発光手段１２０が島１の左右一方から他方へ流れるように点灯する構成となっている。特に、既存の表示装置３も遊技機２からの遊技情報を取得するものであることから、その配線を共通利用して遊戯情報を取得することも可能である。また、表示装置３の制御手段が表示装置３とともに装飾装置１００を制御するように構成することも可能である。
【００１９】
以上説明したように、本例の装飾装置は、遊技機が列設された遊技場を装飾する装置として極めて合理的に構成されたものである。尚、本例における各部の構成は、特許請求の範囲に記載した技術的範囲において適宜に設計変更が可能であり、図例説明したものに限定されないことは勿論である。
【産業上の利用可能性】
【００２０】
本発明の遊技場の装飾装置は、パチンコやスロットマシン等の遊技機が列設された遊技場を装飾する装置として極めて好適に利用することが可能である。
【符号の説明】
【００２１】
１    島
２    遊技機
３    表示装置
４    幕板
１００    遊技場の装飾装置
１１０    ケース体
１２０    発光手段
１３０    プロジェクタ
１４０    支持体
【図１】
0005550542.tif 000002
【図２】
0005550542.tif 000003
【図３】
0005550542.tif 000004
【図４】
0005550542.tif 000005
【図５】
0005550542.tif 000006